【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
複数の巻線部分を備える電気出力装置と、
前記電気出力装置に動作可能に連結された少なくとも１つの風力駆動タービン翼であって、前記少なくとも１つの風力駆動タービン翼の運動により連結された前記電気出力装置から出力を生成する少なくとも１つの風力駆動タービン翼と、
前記電気出力装置に連結された双方向インバータであって、ＤＣ負荷に連結された双方向インバータと、
前記双方向インバータと連結されて失速調整により前記電気出力装置の出力を制御するコントローラとを備え、
前記失速調整は、少なくとも１つの前記複数の巻線部分の短絡により制御される風力タービン。
【請求項２】
前記電気出力装置は交流発電機である請求項１に記載の風力タービン。
【請求項３】
前記ＤＣ負荷は、電池、ポンプ、コンプレッサ、ヒータ、陰極防食装置、ＤＣ−ＤＣコンバータ、および電解槽より成るグループから選択される請求項１に記載の風力タービン。
【請求項４】
前記ＤＣ負荷に連結されたセンサをさらに備え、前記コントローラは、前記センサが受け取る入力の関数として、前記風力タービンの動作を制御する請求項１に記載の風力タービン。
【請求項５】
前記電力出力装置は、前記ＤＣ負荷の所要電力の全範囲で利用可能である請求項１に記載の風力タービン。
【請求項６】
前記電気出力装置は、約０ボルトから約４２０ボルトの範囲で出力を有する請求項１に記載の風力タービン。
【請求項７】
前記コントローラは、無線により前記双方向インバータに連結される請求項１に記載の風力タービン。
【請求項８】
前記コントローラは、無線により前記センサに連結される請求項４に記載の風力タービン。
【請求項９】
前記電気出力装置に連結され、かつ前記双方向インバータに連結されたインバータをさらに備える請求項１に記載の風力タービン。
【請求項１０】
前記コントローラは前記インバータに連結される請求項９に記載の風力タービン。
【請求項１１】
前記コントローラは、無線により前記インバータに連結される請求項９に記載の風力タービン。
【請求項１２】
ハウジングをさらに備え、前記インバータは前記ハウジング内に収容される請求項９に記載の風力タービン。
【請求項１３】
前記電気出力装置を収容するハウジングをさらに備える請求項１に記載の風力タービン。
【請求項１４】
前記双方向インバータは、さらにＡＣ負荷に連結される請求項１に記載の風力タービン。
【請求項１５】
前記ＡＣ負荷は、ポンプ、コンプレッサ、ヒータ、および変圧器より成るグループから選択される請求項１４に記載の風力タービン。
【請求項１６】
前記電気出力装置と前記コントローラを収容するハウジングをさらに備える請求項１に記載の風力タービン。
【請求項１７】
前記電気出力装置、前記コントローラ、および前記センサを収容するハウジングをさらに備える請求項４に記載の風力タービン。
【請求項１８】
前記ＤＣ負荷を検知する第１のセンサと、
前記ＡＣ負荷を検知する第２のセンサと、をさらに備え、
前記コントローラは、前記第１および前記第２のセンサが受け取る入力の関数として、前記風力タービンの動作を制御する請求項１４に記載の風力タービン。
【請求項１９】
前記双方向インバータは、さらにＡＣ負荷に連結され、前記ＤＣ負荷と前記ＡＣ負荷はそれぞれ可変であり、前記コントローラは、可変の前記ＤＣ負荷と可変の前記ＡＣ負荷の関数として、前記電気出力装置の出力を制御する請求項１に記載の風力タービン。
【請求項２０】
前記コントローラは第２の風力タービンに連結される請求項１に記載の風力タービン。
【請求項２１】
前記ＤＣ負荷は可変であり、
前記第２の風力タービンは、可変の第２の風力タービンＡＣ負荷と可変の第２の風力タービンＤＣ負荷の少なくとも１つから選択される、可変の第２の風力タービン負荷を有し、
前記コントローラは、可変の前記ＤＣ負荷の関数および前記可変の第２の風力タービン負荷の関数として、前記風力タービンと前記第２の風力タービンの出力を制御する請求項２０に記載の風力タービン。
【請求項２２】
前記失速調整は、所定の条件下で行われる請求項１に記載の風力タービン。
【請求項２３】
前記所定の条件は、所定のタービン翼運動スピード、電力出力限界、および起動条件より成るグループから選択される請求項２２に記載の風力タービン。
【請求項２４】
前記コントローラに連結された風力タービンセンサをさらに備え、前記コントローラは、前記センサが受け取る入力の関数として、前記風力タービンの動作を制御する請求項１に記載の風力タービン。
【請求項２５】
前記電気出力装置は速度を有し、
前記風力タービンセンサは、少なくとも１つの風力駆動タービン翼の速度、電気出力装置の速度、風度、および前記電気出力装置の出力より成るグループから選択される少なくとも１つを検知する請求項２４に記載の風力タービン。
【請求項２６】
可変周波数負荷に出力を供給するアクティブ可変周波数風力タービンであって、
装置スピードに応じて可変周波数ＡＣ出力を生成する電気出力装置と、
前記電気出力装置に動作可能に連結される少なくとも１つの風力駆動タービン翼であって、
前記少なくとも１つの風力駆動タービン翼の可変運動が、連結される前記電気出力装置からＡＣ出力を生成する少なくとも１つの風力駆動タービン翼と、
前記電気出力装置に連結されるＡＣ−ＤＣコンバータと、
前記ＡＣ−ＤＣコンバータに連結されるＤＣ−ＡＣコンバータであって、負荷に連結されるＤＣ−ＡＣコンバータと、
前記ＤＣ−ＡＣコンバータに連結されるコントローラであって、前記ＤＣ−ＡＣコンバータに連結される負荷用の出力選択に応じて前記ＤＣ−ＡＣコンバータからの出力を変化させることにより、前記ＤＣ−ＡＣコンバータを制御可能なコントローラと、
を備える風力タービン。
【請求項２７】
前記負荷は可変であり、
前記風力タービンは、前記負荷を検知するセンサをさらに備え、変化する前記負荷により前記ＤＣ−ＡＣコンバータからの出力が変化する請求項２６に記載の風力タービン。
【請求項２８】
前記負荷は変圧器からなる請求項２７に記載の風力タービン。
【請求項２９】
前記ＡＣ−ＤＣコンバータは整流器である請求項２８に記載の風力タービン。
【請求項３０】
前記負荷は電池である請求項２９に記載の風力タービン。
【請求項３１】
前記電気出力装置は交流発電機である請求項２６に記載の風力タービン。
【請求項３２】
前記電気出力装置は単相である請求項２６に記載の風力タービン。
【請求項３３】
前記電気出力装置は多相である請求項２６に記載の風力タービン。
【請求項３４】
前記風力タービンは失速調整される請求項３３に記載の風力タービン。
【請求項３５】
前記風力タービンは、所定の条件下で失速調整される請求項３４に記載の風力タービン。
【請求項３６】
前記所定の条件は、所定のタービン翼運動スピード、電力出力限界、および起動条件より成るグループから選択される請求項３５に記載の風力タービン。
【請求項３７】
磁束誘導材料から構成させるコアを取り囲む巻線を有するスロット無し巻線部分と、
磁束誘導材料から構成されるリムおよび前記リムに取付けられる複数の磁性素子を有するロータ部分と、を備える電力出力装置であって、
前記スロット無し巻線部分と前記ロータ部分は、互いに回転運動可能である電力出力装置。
【請求項３８】
前記コアは低損失である請求項３７に記載の電力出力装置。
【請求項３９】
前記コアは積層されている請求項３８に記載の電力出力装置。
【請求項４０】
前記コアは渦電流低減材料からなる請求項３８に記載の電力出力装置。
【請求項４１】
前記渦電流低減材料は合金鉄材料からなる請求項４０に記載の電力出力装置。
【請求項４２】
前記複数の磁性素子は複数の永久磁石を含む請求項３７に記載の電力出力装置。
【請求項４３】
前記電気出力装置に連結されたＡＣ−ＤＣコンバータをさらに備える請求項３７に記載の電力出力装置。
【請求項４４】
前記ＡＣ−ＤＣコンバータは整流器である請求項４３に記載の電力出力装置。
【請求項４５】
前記ＡＣ−ＤＣコンバータはＤＣ−ＡＣコンバータに連結された請求項４３に記載の電力出力装置。
【請求項４６】
前記ＤＣ−ＡＣコンバータは、出力電力受取装置に連結され、
前記出力電力受取装置の電気特性に対して適切に前記電気出力装置からの出力を制御する前記ＤＣ−ＡＣコンバータに連結された制御装置をさらに備える請求項４５に記載の電力出力装置。
【請求項４７】
前記出力電力受取装置の電気特性を監視する監視装置をさらに備える請求項４６に記載の電力出力装置。
【請求項４８】
前記電気出力装置に連結された無線周波フィルタをさらに備える請求項３７に記載の電力出力装置。
【請求項４９】
前記電気出力装置を収容するハウジングをさらに備える請求項４６に記載の電力出力装置。
【請求項５０】
前記スロット無し巻線部分は前記ハウジングに対して固定される請求項４９に記載の電力出力装置。
【請求項５１】
前記ハウジングはハッチカバーを含む請求項４９に記載の電力出力装置。
【請求項５２】
前記制御装置は前記ハッチカバーに取り付けられる請求項５１に記載の電力出力装置。
【請求項５３】
前記ハッチカバーは、空気流により冷却されるように設置する請求項５２に記載の電力出力装置。
【請求項５４】
塔をさらに備え、前記ハウジングを前記塔に取付ける請求項４９に記載の電力出力装置。
【請求項５５】
前記電力出力装置は発電機である請求項３７に記載の電力出力装置。
【請求項５６】
前記電力出力装置は交流発電機である請求項３７に記載の電力出力装置。
【請求項５７】
前記スロット無し巻線部分は一般に円形の断面形状を有し、
前記スロット無し巻線部分は、前記円形の断面形状に関して径方向に複数の区域に区分され、
前記スロット無し巻線部分の前記各区域は、複数の据付けられた巻線セットを備え、かつ前記スロット無し巻線部分の前記区域間の接続を可能にするコネクタを有する請求項３７に記載の電力出力装置。
【請求項５８】
前記コアは複数の区域に区分されており、区分された巻線部分の各区域は、複数のコア区域の１つを備える請求項５７に記載の電力出力装置。
【請求項５９】
前記複数のコア区域のそれぞれは、成形区域に含まれる請求項５８に記載の電力出力装置。
【請求項６０】
前記成形区域はプラスチックから構成される請求項５９に記載の電力出力装置。
【請求項６１】
前記区分された巻線部分の区域は、少なくとも１つの連結部品を介して接続される請求項５７に記載の電力出力装置。
【請求項６２】
前記少なくとも１つの連結部品は回路基板である請求項６１に記載の電力出力装置。
【請求項６３】
前記少なくとも１つの連結部品の１つは、前記巻線部分から電力を出力する少なくとも１つのリード線を備える請求項６１に記載の電力出力装置。
【請求項６４】
前記電力出力装置は多数の相を有し、前記複数の据付けられた巻線セットのそれぞれは、前記複数の相の１つに対応する請求項５７に記載の電力出力装置。
【請求項６５】
前記複数の据付けられた巻線セットのそれぞれは、前記複数の相の同じ１つに対応する少なくとも２つの据付けられた巻線セットを備える請求項６４に記載の電力出力装置。
【請求項６６】
前記複数の相の同じ１つに対応する前記少なくとも２つの据付けられた巻線セットのそれぞれの連続対は、直列に接続される請求項６５に記載の電力出力装置。
【請求項６７】
直列に接続される前記少なくとも２つの巻線セットのそれぞれの連続対の第１の据付けられた巻線セットは、直列に接続される前記少なくとも２つの巻線セットのそれぞれの連続対の第２の据付けられた巻線セットと反対の極性を有する請求項６６に記載の電力出力装置。
【請求項６８】
直列に接続される前記少なくとも２つの巻線セットのそれぞれの連続対の第１の据付けられた巻線セットは、直列に接続される前記少なくとも２つの巻線セットのそれぞれの連続対の第２の据付けられた巻線セットと同じ極性を有する請求項６６に記載の電力出力装置。
【請求項６９】
前記複数の巻線セットのそれぞれは実質的に同じである請求項５７に記載の電力出力装置。
【請求項７０】
前記巻線は平らなワイヤーから構成される請求項３７に記載の電力出力装置。
【請求項７１】
前記巻線は、複数の巻線部分と、巻線部分の対を接続する複数の巻線部分接続点と、を備える請求項３７に記載の電力出力装置。
【請求項７２】
前記電力出力装置は風力タービンに組み込まれる請求項３７に記載の電力出力装置。
【請求項７３】
前記電力出力装置は車両に組み込まれる請求項３７に記載の電力出力装置。
【請求項７４】
風力タービンは、
ハブに連結される少なくとも１つのタービン翼であって、少なくとも１つのタービン翼のそれぞれが少なくとも１つのタービン翼のそれぞれにぶつかる空気流に対応するハブにより回転する少なくとも１つのタービン翼を備え、
前記電気出力装置は前記ハブに動作可能に連結されて、前記ハブの回転とともに電気出力を発生可能である請求項７２に記載の電力出力装置。
【請求項７５】
前記少なくとも１つのタービン翼のそれぞれは、後退設計を有する請求項７４に記載の電力出力装置。
【請求項７６】
前記ハブは軸に連結される請求項７４に記載の電力出力装置。
【請求項７７】
電気出力装置と、
前記電気出力装置に動作可能に連結された少なくとも１つの風力駆動タービン翼であって、前記少なくとも１つの風力駆動タービン翼の運動により連結された前記電気出力装置から出力を生成する少なくとも１つの風力駆動タービン翼と、
前記電気出力装置に連結されたインバータと、を備える風力タービンであって、
前記風力タービンはＡＣ出力を供給し、
前記少なくとも１つの風力駆動タービン翼は、前記少なくとも１つの風力駆動タービン翼の運動に比例する運動エネルギーを有し、
前記風力タービンは、前記少なくとも１つの風力駆動タービン翼の前記運動エネルギーを電気エネルギーに変換し、
前記インバータは、変換された前記電気エネルギーを前記ＡＣ出力に取り込む。
【請求項７８】
前記インバータは双方向インバータである請求項７７に記載の風力タービン。
【請求項７９】
変換された前記電気エネルギーを用いて力率を修正する請求項７８に記載の風力タービン。
【請求項８０】
前記風力タービンは、前記少なくとも１つの風力駆動タービン翼の運動を低下されることにより、前記少なくとも１つの風力駆動タービン翼の運動エネルギーを電気エネルギーに変換する請求項７７に記載の風力タービン。
【請求項８１】
前記風力タービンは失速調整される請求項７７に記載の風力タービン。
【請求項８２】
前記風力タービンは、所定の条件下で失速調整される請求項８１に記載の風力タービン。
【請求項８３】
前記所定の条件は、所定のタービン翼運動スピード、電力出力限界、および起動条件より成るグループから選択される請求項８２に記載の風力タービン。
【請求項８４】
前記インバータは前記電気出力装置の近傍に位置する請求項７７に記載の風力タービン。
【請求項８５】
前記風力タービンはハウジングをさらに備え、前記電気出力装置と前記インバータ は前記ハウジング内に位置する請求項８４に記載の風力タービン。
【請求項８６】
風騒音を低減する風力発電機タービン翼であって、干渉の断面領域を生成する干渉物体から風下方向のハブ点を経由する回転に使用可能な風力発電機タービン翼において、
前記ハブ点に近接する根元部分と、
先端に延びる後退物体部分と、を備え、
前記風力発電機タービン翼の回転の際に、前記後退物体部分と前記先端が前記干渉の断面領域の外側にある状態で前記根元部分が前記干渉の断面領域に入り、前記先端部分が前記干渉の断面領域に完全に入る前に前記根元部分が前記干渉の断面領域から出る。
【請求項８７】
前記風力発電機タービン翼は可撓性材料からなる請求項８６に記載の風力発電機タービン翼。
【請求項８８】
前記風力発電機タービン翼はガラス強化ポリエステルから構成される請求項８６に記載の風力発電機タービン翼。
【請求項８９】
前記風力発電機タービン翼は、少なくとも２つのタービン翼部材から構成される請求項８６に記載の風力発電機タービン翼。
【請求項９０】
前記少なくとも２つのタービン翼部材は、延長物体部分の方向で接続される請求項８９に記載の風力発電機タービン翼。
【請求項９１】
前記タービン翼部材のそれぞれは強化リブを備える請求項８９に記載の風力発電機タービン翼。
【請求項９２】
前記風力発電機タービン翼は、多部品射出成形を用いて形成される請求項８６に記載の風力発電機タービン翼。
【請求項９３】
一般に凹状の第１のタービン翼領域を取り囲む第１のタービン翼壁部分を有する第１のタービン翼部分と、
一般に凹状の第２のタービン翼領域を取り囲む第２のタービン翼壁部分を有する第２のタービン翼部分であって、少なくとも１つのチャンバーが前記第１のタービン翼部分と前記第２のタービン翼部分の間に形成されるように、当接可能に前記第１のタービン翼部分に当接可能な状態で組立て可能な第２のタービン翼部分と、
を備える風力発電機タービン翼。
【請求項９４】
前記第１のタービン翼部分と前記第２のタービン翼部分のそれぞれは、射出成形を用いて形成される請求項９３に記載の風力発電機タービン翼。
【請求項９５】
前記第１のタービン翼部分と前記第２のタービン翼部分のそれぞれは、圧縮成形を用いて形成される請求項９３に記載の風力発電機タービン翼。
【請求項９６】
前記第１のタービン翼部分と前記第２のタービン翼部分のそれぞれは、強化リブを備え、強化リブは、一般に凹状の第１のタービン翼領域と一般に凹状の第２のタービン翼領域の少なくとも１つの中に位置する請求項９３に記載の風力発電機タービン翼。
【請求項９７】
電気装置ハウジングを有する電気装置と電気装置ハウジングに対して可動な付属装置との間の電気的な電気的結合を維持するヨーアセンブリにおいて、
ヨーと、
前記ヨーに係合する摺動可能な係合形状構成であって、摺動可能な係合形状構成の摺動可能な係合が前記付属装置に対する電気装置ハウジングの摺動運動を可能にする摺動可能な係合形状構成と、
前記電気装置に連結されたスリップ接続形状構成と、
前記電気装置が前記スリップ接続形状構成を介して可変的に係合可能な機構に係合可能なように、前記付属装置に接続されて、前記スリップ接続形状構成と係合可能な、可変的に連結可能な機構と、
前記ヨーに係合して前記ヨーによる振動の伝達を抑える弾力的に動作する形状構成と、を備える。
【請求項９８】
前記ヨーは前記付属装置に取付けられる請求項９７に記載のヨーアセンブリ。
【請求項９９】
前記付属装置は塔である請求項９７に記載のヨーアセンブリ。
【請求項１００】
前記電気装置は交流発電機である請求項９７に記載のヨーアセンブリ。
【請求項１０１】
前記電気装置は風力タービンである請求項９７に記載のヨーアセンブリ。
【請求項１０２】
前記電気装置は、付属装置に対して回転運動する請求項９７に記載のヨーアセンブリ。
【請求項１０３】
前記摺動可能な係合形状構成は軸受けを備える請求項９７に記載のヨーアセンブリ。
【請求項１０４】
前記スリップ接続形状構成はスリップリングを備える請求項９７に記載のヨーアセンブリ。
【請求項１０５】
前記スリップ接続形状構成は、スリップリングに隣接するセパレータを備える請求項１０４に記載のヨーアセンブリ。
【請求項１０６】
前記電気装置は回路装置を含む請求項９７に記載のヨーアセンブリ。
【請求項１０７】
前記回路装置はプリント回路基板を含む請求項１０６に記載のヨーアセンブリ。
【請求項１０８】
前記スリップ接続形状構成は回路装置に取付けられる請求項１０６に記載のヨーアセンブリ。
【請求項１０９】
前記可変的に連結可能な機構はブラシを備える請求項９７に記載のヨーアセンブリ。
【請求項１１０】
前記可変的に連結可能な機構は保持する形状構成を備える請求項９７に記載のヨーアセンブリ。
【請求項１１１】
前記スリップ接続形状構成に接触する前記可変的に連結可能な機構を付勢する付勢機構をさらに備える請求項９７に記載のヨーアセンブリ。
【請求項１１２】
前記付勢機構はバネを備える請求項１１１に記載のヨーアセンブリ。
【請求項１１３】
前記可変的に連結可能な機構は、出力線に連結される請求項９７に記載のヨーアセンブリ。
【請求項１１４】
前記可変的に連結可能な機構は、少なくとも１つの固定継手装置を介して、前記出力線に連結される請求項１１３に記載のヨーアセンブリ。
【請求項１１５】
前記ヨーアセンブリをシールドする遮蔽体をさらに備える請求項９７に記載のヨーアセンブリ。
【請求項１１６】
前記弾力的に動作する形状構成は、少なくとも１つのブッシングを備える請求項９７に記載のヨーアセンブリ。
【請求項１１７】
前記少なくとも１つのブッシングは、可撓性材料から構成される請求項１１６に記載のヨーアセンブリ。